(57)【要約】【課題】本発明は、半身不随者や負傷、骨折などで片手が不自由な者がいかなる手助けをも伴わず且つ自らの手で容易に利き腕側の手に手袋の装着を行える構造でかつ製造コストが低減できる手袋装着支援具を提案することを課題とする。【解決手段】本発明は、上記問題を解決するために、手袋Ｇを戴置する下部挟持体２と、下部挟持体２に対して開閉可能に取り付けられ、手袋Ｇの開口の一部を挟み込んだ状態で閉じることにより手袋Ｇを下部挟持体２に対して一時固定できる手袋支持部３２と、手袋支持部３２の下部挟持体２に対する開閉を操作する操作部３１とを備える上部挟持体３とからなり、手袋支持部３２により手袋Ｇを一時固定しておき、手袋Ｇの開口から手Ｈを進入させることにより装着可能とせしめたことを特徴とする手袋装着支援具１である。【選択図】図１
2014147538.tif 000002
【特許請求の範囲】
【請求項１】
手袋を戴置する下部挟持体と、
前記下部挟持体に対して開閉可能に取り付けられ、前記手袋の開口の一部を挟み込んだ状態で閉じることにより前記手袋を前記下部挟持体に対して一時固定できる手袋支持部と、前記手袋支持部の前記下部挟持体に対する開閉を操作する操作部とからなる上部挟持体と、
を備え、
前記手袋支持部により前記手袋を一時固定しておき、前記手袋の開口から手を進入させることにより装着可能とせしめた手袋装着支援具。
【請求項２】
前記上部挟持体が、前記下部挟持体に軸支され、前記上部挟持体の一端側が前記下部挟持体に対して押圧するように付勢された構造を備えたものであり、
前記上部挟持体が、前記支柱を中心に上下に揺動可能とする構造を備えたものであり、
前記利用者が前記上部挟持体に載せ置いた手で前記上部挟持体を揺動させる操作によって前記上部挟持体の一端側の開閉を可能としたことを特徴とする請求項１に記載の手袋装着支援具。
【請求項３】
前記下部挟持体の一部に外部のオブジェクトに対して掛止する掛止体を設け、前記掛止体を介して前記下部挟持体が前方へ移動することを制止せしめる請求項１または２に記載の手袋装着支援具。
【請求項４】
前記掛止体が前記下部挟持体の一部に設けた凸設された突起体である請求項３に記載の手袋装着支援具。
【請求項５】
前記掛止体が前記利用者の被服の一部に差し入れて掛止できるものである請求項３に記載の手袋装着支援具。
【請求項６】
さらに、前記下部挟持体を戴置せしめ前記下部挟持体の一部を軸支する基板を備え、
前記上部挟持体は前記基板の一端に連結体により連結せしめるフックを設けた構造であり、
前記利用者が前記下部挟持体に載せ置いた手で前記下部挟持体を前記基板に押し付ける操作により、前記上部挟持体の一端側の開閉を可能としたことを特徴とする請求項１または２に記載の手袋装着支援具。
【請求項７】
前記基板の一部に外部のオブジェクトに対して掛止する掛止体を設け、前記掛止体を介して前記基板が前方へ移動することを制止せしめる請求項６に記載の手袋装着支援具。
【請求項８】
前記掛止体が前記基板の一部に設けた凸設された突起体である請求項７に記載の手袋装着支援具。
【発明の詳細な説明】
【技術分野】
【０００１】
本発明は、片手が使えない人が、利き腕側の手に手袋を容易に装着することができる手袋装着支援具に関する。
【背景技術】
【０００２】
半身不随者や負傷、骨折などで片手が不自由な者にとって、利き腕によって不自由な方の手に手袋を装着することはできるものの、利き腕側の手に手袋を装着することは非常に困難であり、依然として介護者の介助が必要となる。従来の手袋装着支援具としては、下記特許文献１ないし８が手袋装着支援具を提案している。
【先行技術文献】
【特許文献】
【０００３】
【特許文献１】特開２０１１−５２３６４号公報
【特許文献２】特開２００４―２２９８７２号公報
【特許文献３】特開２００２―２２４１３９号公報
【特許文献４】特開２００１―６４８１１号公報
【特許文献５】特開平１０―１０８８７０号公報
【特許文献６】特開平１０―２０３号公報
【特許文献７】特開平７―２６８７０７号公報
【特許文献８】実登３０１５６５３号公報
【発明の概要】
【発明が解決しようとする課題】
【０００４】
ところが、特許文献１ないし８に係る手袋装着支援具は、天然ゴム、合成ゴムまたは合成樹脂からなる伸縮性を有する手袋の装着装置に関するものであり、木綿や皮革の手袋に適用できない。また、装置がおおがかりで複雑な構造であるため、家庭での使用や外出先で携帯使用に適していない。本発明は、このような問題に鑑み、半身不随者や負傷、骨折などで片手が不自由な者がいかなる手助けをも伴わず且つ自らの手で容易に利き腕側の手に手袋の装着を行える構造でかつ製造コストが低減できる手袋装着支援具を提案することを課題とする。
【課題を解決するための手段】
【０００５】
上記問題を解決するために、本発明の手袋装着支援具は、手袋を戴置する下部挟持体と、下部挟持体に対して開閉可能に取り付けられ、手袋の開口の一部を挟み込んだ状態で閉じることにより手袋を下部挟持体に対して一時固定できる手袋支持部と、手袋支持部の下部挟持体に対する開閉を操作する操作部とを備える上部挟持体とからなり、手袋支持部により手袋を一時固定しておき、手袋の開口から手を進入させることにより装着可能とせしめたことを特徴とする。
【０００６】
また、本発明の手袋装着支援具は、上部挟持体が下部挟持体に軸支され、上部挟持体の一端側が下部挟持体に対して押圧するように付勢された構造を備え、支柱を中心に上部挟持体を上下に揺動可能とする構造を備えたものであり、利用者が上部挟持体に載せ置いた手で上部挟持体を揺動させる操作によって上部挟持体の一端側の開閉を可能としたことを特徴とする。
【０００７】
さらに、本発明の手袋装着支援具は、下部挟持体の一部に外部のオブジェクトに対して掛止する掛止体を設け、掛止体を介して下部挟持体が前方へ移動することを制止せしめるようにしてもよい。なお、掛止体を下部挟持体の一部に設けた凸設された突起として用いたり、別の掛止体を利用者の被服の一部に差し入れて掛止めたりできるようにしてもよい。
【０００８】
またさらに、本発明の手袋装着支援具は、基板の上に、下部挟持体を戴置し下部挟持体の一部を基板に軸支し、上部挟持体にフックを設けて基板の一端を連結体により連結せしめて、利用者が下部挟持体に載せ置いた手で下部挟持体を基板に押し付ける操作により、上部挟持体の一端側の開閉を可能としている。
【発明の効果】
【０００９】
本発明に係る手袋装着支援具は、通常状態では圧縮バネの付勢により上部挟持体の手袋支持部が閉じているが、操作部を軽く押圧すれば上部挟持体が搖動する作用がある。また、別の手袋装着支援具は、手袋を装着する側で下部挟持体を基板に押し付けることにより、同様に上部挟持体が搖動する。このため、上部挟持体の手袋支持部が容易に下部挟持体から離間するので、利用者がその手に手袋を装着して開放するまでの操作を容易におこなうことができ、使いやすいという効果がある。また、衣服のポケットやベルトの一部を挟み込んで掛止するように構成すれば、携帯することができ利便性があるという効果がある。
【図面の簡単な説明】
【００１０】
【図１】本発明の実施例１に係る手袋装着支援具の全体構成を示す斜視図である。
【図２】本発明の実施例１に係る手袋装着支援具の側面図で、（ａ）は操作前の状態、（ｂ）は操作後の状態を示す。
【図３】本発明の実施例１に係る手袋装着支援具を机やテーブルの隅に突起体を掛け止めた状態を示す側面図である。
【図４】本発明の実施例１に係る手袋装着支援具の使用手順を示す図である。
【図５】本発明の実施例１に係る手袋装着支援具の別の形態を示す模式図である。
【図６】図５に示した上部挟持体のＬ部分を拡大した図であり、（ａ）は支柱４を挿通する前の状態を示し、（ｂ）は支柱４を挿通した後の状態を示し、（ｃ）は支柱４の軸の径と孔の径の関係を示す図であり、（ｄ）は上部挟持体の操作部を下部挟持体に押し込んだ状態を示す側面図である。
【図７】本発明の実施例２に係る手袋装着支援具の側面図（ａ）と、（ｂ）は手袋装着支援具を衣服のポケットを挟み込んで掛け止めた状態を示す図である。
【図８】本発明の実施例３に係る手袋装着支援具の全体構成を示す斜視図である。
【図９】本発明の実施例３に係る手袋装着支援具の側面図で、（ａ）は操作前の状態、（ｂ）は操作後の状態を示す。
【図１０】本発明の実施例３に係る手袋装着支援具の上部挟持体と基板との連結を示す図である。
【図１１】本発明の実施例３に係る手袋装着支援具の使用手順を示す図である。
【発明を実施するための形態】
【００１１】
以下、本発明の実施例を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施例に限られるものではない。
【実施例１】
【００１２】
実施例１を図面を参照して詳細に説明する。図１は、本発明の実施例１に係る手袋装着支援具１の全体構成を示す斜視図である。まず、手袋装着支援具１の全体構成を説明する。手袋装着支援具１は、大別すると、下部挟持体２と上部挟持体３とを備える。
【００１３】
下部挟持体２は、後述する上部挟持体３が可動部材であるのに対し、手袋装着支援具１の固定部材である。下部挟持体２は長さ方向の略中央でかつ幅方向縁部近傍に、上部挟持体３を軸支する一対の支柱４を備えている。
【００１４】
上部挟持体３は、手袋装着支援具１の可動部材であって、長さ方向の略中央が支柱４に揺動可能に軸支されている。上部挟持体３は、手袋Ｇを一時固定できる手袋支持部３２と、手袋支持部３２が下部挟持体２から離隔するように操作する操作部３１とからなる。また、操作部３１側の上部挟持体３と下部挟持体２との間には、上部挟持体３の手袋支持部３２が下部挟持体２の上面に閉じる方向に付勢されるように、圧縮バネ６（図示せず）を備えている。
【００１５】
図２を参照する。図２は、本発明の実施例１に係る手袋装着支援具１の側面図で、（ａ）は操作前の状態、（ｂ）は操作後の状態を示す。ここで、操作前の状態とは、上部挟持体３の操作部３１を操作しない状態、つまり通常の状態をいい、操作後の状態とは、操作部３１を下部挟持体２の方向に押し下げた状態をいう。図２（ａ）に示すとおり、圧縮バネ６の付勢により、上部挟持体３の操作部３１は下部挟持体２から離隔し、他方、手袋支持部３２は、下部挟持体２に閉じている状態である。このような手袋装着支援具１の構造により、操作部３１の操作で、手袋Ｇの開口部の一部を手袋支持部３２により下部挟持体２に一時固定し、さらに手袋Ｇを開放することができるのである。以下、上部挟持体３を側面視して手袋支持部３２側方向を前方、その反対側方向を後方と定義して説明する。
【００１６】
図３を参照する。図３は、本発明の実施例１に係る手袋装着支援具１を、机やテーブルＴ（斜線で図示）の隅に突起体２１を掛け止めた状態を示す側面図である。詳細を説明すると、下部挟持体２は、軸支された上部挟持体３の操作部３１が配置される側の下端に凸設された突起を備えてもよい。手袋装着支援具１は後述する使用方法に示すとおり、手袋Ｇを装着する際、操作部３１側から手袋支持部３２側方向に力がはたらくので、手袋装着支援具１が前方へずれ動くことがある。手袋装着支援具１は、テーブルＴの隅に掛け止め固定する突起体２１を備えることで、前方にずれ動くことが防止される。
【００１７】
なお、手袋装着支援具１の各構成部材の材質は、金属、木、丈夫で剛性のある樹脂を用いることができる。
【００１８】
次に、実施例１の手袋装着支援具１を使用して、手袋Ｇを装着する手順を説明する。
【００１９】
図４を参照する。図４は、本発明の実施例１に係る手袋装着支援具１の使用手順を示す図である。まず、前述した通常状態の手袋装着支援具１を、机やテーブルＴの隅に突起体２１（図示せず）が掛け止めるように置く。図４（ａ）に示すように、手袋Ｇを下部挟持体２に載せ、開口しながら上部挟持体３の手袋支持部３２の方向に移動させる。次に、図４（ｂ）に示すように、利用者は、手袋Ｇの開口部を把持して手繰り寄せながら、手Ｈ又は腕Ａを上部挟持体３の操作部３１に載せ下部挟持体２の方向に軽く押圧する。そうすると手袋支持部３２が下部挟持体２から離間して、手袋Ｇの開口部の一部が下部挟持体２と手袋支持部３２の間に入り込む。そして、利用者が手Ｈ又は腕Ａを操作部３１から開放すると、図４（ｃ）に示す通常状態の手袋装着支援具１となり、手袋Ｇは下部挟持体２と手袋支持部３２の間に一時固定される。ここで、図４（ｄ）及び（ｅ）に示すとおり、利用者は手Ｈを手袋Ｇの開口部に差し入れ、手袋Ｇを装着し終える時点で、再度、腕Ａを上部挟持体３の操作部３１に載せ置き下部挟持体２の方向に軽く押圧する。そうすると、図４（ｆ）に示すとおり、手袋支持部３２が下部挟持体２から離間して、腕Ａが開放されて手Ｈに手袋Ｇが装着される。
【００２０】
図５及び６を参照する。図５は、本発明の実施例１に係る手袋装着支援具１の別の形態を示す模式図である。図６は、図５に示した上部挟持体３のＬ部分を拡大した図であり、（ａ）は支柱４を挿通する前の状態を示し、（ｂ）は支柱４を挿通した後の状態を示し、（ｃ）は支柱４の軸の径と孔の径の関係を示す図であり、（ｄ）は上部挟持体の操作部を下部挟持体に押し込んだ状態を示す側面図である。図５に示すとおり、上部挟持体３は、軸支部３３を備え、軸支部に支柱４が挿通して下部挟持体２に固定され、支柱４を中心に上下に揺動可能とする。
【００２１】
図６を参照して、上部挟持体３の揺動構造を詳細に説明する。前述したとおり、図６（ａ）は、支柱４を挿通する前の軸支部３３の状態を示し、上部挟持体３の長さ方向略中央近傍で幅方向端部に軸支部３３が突設され支柱４を挿通させるための孔部３４を設けられている。図６（ｂ）は支柱４を挿通した後の軸支部３３の状態を示し、支柱４の頭４１が孔部３４を塞いでいるのが見て取れる。さらに、図６（ｃ）は支柱４の軸４２の径と孔３４の径の関係を示す図であり、軸４２の径は孔３４の径よりも短いことがわかる。すなわち、軸支部３３の孔３４と支柱４の軸４２との間にはスペースが存在する。上部挟持体３は、通常の状態において、軸支部３３が圧縮バネ６の付勢により支柱４の頭４１にぶつかって留まっているが、操作部３１を下部挟持体２方向に押圧すると、前述した孔３４と軸４２との間に介在するスペースにより上部挟持体３が上下に揺動し、上部挟持体３が傾き手袋支持部３２が下部挟持体２から離間可能となる。より詳細には、図６（ｄ）に示すとおり、上部挟持体３の操作部３１を下部挟持体２方向に押し込むと、上部挟持体３が下方向に揺動して、操作部３１が下部挟持体２方向に傾き、手袋支持部３２が下部挟持体２から離間するのである。
【実施例２】
【００２２】
実施例２を図面を参照して詳細に説明する。
【００２３】
図７は、本発明の実施例２に係る手袋装着支援具１０を衣服ＣのポケットＰを挟み込んで掛け止めた状態を示す図である。手袋装着支援具１０は、大別すると、実施例１と同様に下部挟持体１２と上部挟持体１３とを備える。下部挟持体１２は、上部挟持体１３が可動部材であるのに対し、手袋装着支援具１０の固定部材である。下部挟持体１２は長さ方向の略中央でかつ幅方向縁部近傍に、上部挟持体１３を軸支する一対の支柱１４を備える。上部挟持体１３は、手袋装着支援具１０の可動部材であって、長さ方向の略中央が支柱１４に搖動可能に軸支されている。上部挟持体１３は、手袋Ｇを保持する手袋支持部１３２と、手袋支持部１３２が下部挟持体１２から離隔するように操作する操作部１３１とからなる。また、操作部１３１側の上部挟持体１３と下部挟持体１２との間には、上部挟持体１３の手袋支持部１３２が下部挟持体１２の上面に閉じる方向に付勢されるように、圧縮バネ１６が装着されている。実施例１では、下部挟持体１２は軸支された上部挟持体１３の操作部３１が配置される側の下端に凸設された突起体２１を備えているが、実施例２では、下部挟持体１２は衣服ＣのポケットＰを挟み込んで掛け止める掛止体１２２を備える。実施例１と実施例２の差異は、突起体２１と掛止体１２２のみの違いであり、これ以外は実質的に同一であるため、手袋を装着する手順も実施例１で説明した手順とほぼ同様であり装着手順の説明は省略する。
【００２４】
図７を説明する。図７（ａ）は、手袋装着支援具１０の構成を示す側面図である。図７（ａ）に示すとおり、下部挟持体１２は下面の一部に掛止体１２２を備えている。掛止体１２２は板状であってもよいし、例えばペンに用いられるクリップのような部材でもよい。なお、図７（ｂ）は、手袋装着支援具１０が衣服ＣのポケットＰを挟み込んだ状態を示している。
【００２５】
実施例２に係る手袋装着支援具１０は、衣服ＣのポケットＰを挟み込んで掛け止める掛止体１２２を備えるため、携帯できるという特徴がある。
【実施例３】
【００２６】
実施例３を図面を参照して詳細に説明する。
【００２７】
図８は、本発明の実施例３に係る手袋装着支援具２０の全体構成を示す斜視図である。
【００２８】
まず、手袋装着支援具２０の全体構成を説明する。手袋装着支援具２０は、大別すると、下部挟持体２２と上部挟持体２３と基板２５を備える。本発明の実施例１に係る手袋装着支援具１とは異なり、下部挟持体２２は、可動部材である。下部挟持体２２は長さ方向の略中央でかつ幅方向縁部近傍に、上部挟持体２３を軸支する一対の支柱２４を備える。また、上部挟持体２３も、手袋装着支援具２０の可動部材であって、長さ方向の略中央が支柱２４に揺動可能に軸支されている。上部挟持体２３は、手袋Ｇを一時固定できる手袋支持部２３２と、手袋支持部２３２が下部挟持体２２から離隔するように操作する操作部２３１とからなる。また、操作部２３１側の上部挟持体２３と下部挟持体２２との間には、上部挟持体２３の手袋支持部２３２が下部挟持体２２の上面に閉じる方向に付勢されるように、圧縮バネ２６（図示せず）を備えている。さらに、実施例３に係る手袋装着支援具２０では、固定部材である基板２５の上に、下部挟持体２２を戴置し下部挟持体２２の一部を基板２５に軸支し、上部挟持体２３にフック２３５（図示せず）を設けて基板２５の一端を連結体２８（図示せず）により連結せしめて、利用者が下部挟持体２２に載せ置いた手で下部挟持体２２を基板２５に押し付ける操作により、上部挟持体２３の一端側の開閉を可能としている。
【００２９】
図９を参照する。図９は、本発明の実施例３に係る手袋装着支援具２０の側面図で、（ａ）は操作前の状態、（ｂ）は操作後の状態を示す。実施例１に係る手袋装着支援具１と相違する点を説明すると、図９（ａ）に示すとおり、基板２５は下部挟持体２２を支軸２７で回動可能に軸支している。また、上部挟持体２３は、操作部２３１側の下部挟持体２２に対向する面にフック２３５を備え、基板２５の一方の端部を連結体２８で連結している。通常の状態において、操作部２３１は圧縮バネ２６の付勢によって下部挟持体２２から離隔し、他方、手袋支持部２３２は、下部挟持体２２に閉じている。このような手袋装着支援具２０の構造により、操作部２３１の操作で、手袋Ｇを開放することができるのみならず、手袋支持部２３２が閉じている側の下部挟持体２２の端部を掛止体２５に押し下げることによっても、手袋Ｇを開放することができる。すなわち、図９（ｂ）に示すとおり、下部挟持体２２と基板２５が軸支されているため、手袋支持部２３２が閉じている側の下部挟持体２２の端部を基板２５に押し下げても、操作部２３１は、フック２３５に連結体２８で掛止体２５の一方の端部を連結しているため、動かない。そして、操作部２３１に対向する側の下部挟持体２２が上部挟持体２３を押し上げることにより、圧縮バネ２６の付勢がはたらき、結果として、手袋支持部２３２は下部挟持体２２から離間するのである。
【００３０】
図１０を参照する。図１０は、本発明の実施例３に係る手袋装着支援具２０の操作部２３１と基板２５との連結を示す図である。図１０に示すとおり、上部挟持体２３は、操作部２３１の下部挟持体２２に対向する面にフック２３５を備え、基板２５の一方の端部を連結体２８で連結している。連結帯２８は、例えば、金属中空Ｏリングのような部材を基板２５の一方の端部に固定し、フック２３５に引っ掛け連結することが好適である。なお、連結帯２８は、引張り強さに優れた樹脂を用いてもよい。図９（ａ）の通常の状態において、操作部２３１は圧縮バネ２６の付勢によって下部挟持体２２から離隔し、連結帯２８は緊張状態にある。
【００３１】
次に、実施例３の手袋装着支援具２０を使用して、手袋Ｇを装着する手順を説明する。
【００３２】
図１１を参照する。図１１は、本発明の実施例３に係る手袋装着支援具２０の使用手順を示す図である。図１１（ａ）に示すように、手袋Ｇを下部挟持体２２に載せ、開口しながら上部挟持体２３の手袋支持部２３２の方向に移動させる。次に、図１１（ｂ）に示すように、利用者は、手袋Ｇの開口部を把持して手繰り寄せながら、手袋支持部２３２が閉じている側の下部挟持体２２を手Ｈ（図示せず）で基板２５の方向に軽く押圧する。そうすると手袋支持部２３２が下部挟持体２２から離間して、手袋Ｇの開口部の一部が下部挟持体２２と手袋支持部２３２の間に入り込む。そして、利用者が手Ｈを下部挟持体２２から開放すると、図１１（ｃ）に示す通常状態の手袋装着支援具２０となり、手袋Ｇは下部挟持体２２と手袋支持部２３２の間に一時固定される。ここで、図１１（ｄ）及び（ｅ）に示すとおり、利用者は手Ｈを手袋Ｇの開口部に差し入れ、手袋Ｇを装着し終える時点で、再度、手袋支持部２３２が閉じている側の下部挟持体２２を手Ｈ（図示せず）で基板２５の方向に軽く押圧する。そうすると、図１１（ｆ）に示すとおり、手袋支持部２３２が下部挟持体２２から離間して、手袋Ｇは手袋装着支援具２から開放され手Ｈに装着される。なお、手袋装着支援具２０は、基板２５が前方にずれ動くことを防止するために、突起体（図示せず）を備えてもよい。
【００３３】
以上、本発明に係る手袋装着支援具における好ましい実施形態を図示して説明してきたが、本発明の技術的範囲を逸脱することなく種々の変更が可能であることは理解されるであろう。
【産業上の利用可能性】
【００３４】
本発明に係る手袋装着支援具は、その構成により、半身不随者や負傷、骨折などで片手が不自由な者が、自らの手で容易に利き腕側の手に手袋の装着を行え、使いやすく、また、衣服のポケットやベルトの一部を挟み込んで掛止するように構成すれば、携帯することができるので、福祉用具として広く利用することができる。
【符号の説明】
【００３５】
１  １０  ２０  手袋装着支援具
２  １２  ２２  下部挟持体
３  １３  ２３  上部挟持体
２５  基板
３１  １３１  ２３１  操作部
３２  １３２  ２３２  手袋支持部
４  １４  ２４  支柱
６  １６  ２６  圧縮ばね
２１  突起体
１２２  掛止体
Ｇ  手袋
Ｈ  手
Ａ  腕
【図１】
2014147538.tif 000003
【図２】
2014147538.tif 000004
【図３】
2014147538.tif 000005
【図４】
2014147538.tif 000006
【図５】
2014147538.tif 000007
【図６】
2014147538.tif 000008
【図７】
2014147538.tif 000009
【図８】
2014147538.tif 000010
【図９】
2014147538.tif 000011
【図１０】
2014147538.tif 000012
【図１１】
2014147538.tif 000013